(57)【要約】【課題】ＭＡＣ制御要素を含むアップリンクメッセージまたは高次レイヤから渡されたＷＴＲＵ競合解決ＩＤに関連付けられたアップリンクメッセージが伝送された後、競合解決のためのタイマーは、ＰＤＣＣＨ上でＷＴＲＵが監視する連続する物理ダウンリンク制御チャネル（ＰＤＣＣＨ）サブフレームの数を指定する。ＷＴＲＵは多くのタイマーを調整することができる。【解決手段】無線送受信ユニット（ＷＴＲＵ）の媒体アクセス制御（ＭＡＣ）エンティティを再構成する方法および装置が開示される。この方法および装置は、ＷＴＲＵがＭＡＣ再構成要求を送信することと、ＷＴＲＵが新しいＭＡＣパラメータ値を含むＭＡＣ再構成コマンドを受信することと、ＷＴＲＵがＭＡＣ再構成コマンドの新しいＭＡＣパラメータ値に基づいてＭＡＣエンティティを再構成することとを含む。【選択図】図７
2015165712.tif 000002
【特許請求の範囲】
【請求項１】
無線送受信ユニット（ＷＴＲＵ）の中で媒体アクセス制御（ＭＡＣ）エンティティリセット要件を検出する方法において、
所定の数のランダムアクセスチャネル（ＲＡＣＨ）再試行を検出するステップと、
前記所定の数のランダムアクセスチャネル（ＲＡＣＨ）再試行の前記検出をすると、ＭＡＣレイヤよりも上位の１つ以上のレイヤへ、ＭＡＣレイヤリセット要件を示すステップと、
前記ＭＡＣレイヤよりも前記１つ以上の上位のレイヤへ、ＭＡＣエンティティリセット要求を送信するステップと、
前記１つ以上の上位のレイヤのうちの少なくとも１つから、前記リセット要求の肯定応答を受信するステップと、
前記ＭＡＣエンティティの少なくとも１つのプロトコルデータユニット（ＰＤＵ）の送信を一時停止するステップと、
前記ＭＡＣエンティティの少なくとも１つのサービスデータユニット（ＳＤＵ）の多重化および組み立てを一時停止するステップと
を備えることを特徴とする方法。
【請求項２】
ＭＡＣ再構成要求を送信するステップと、
１つ以上のＭＡＣパラメータ値を含むＭＡＣ再構成コマンドを受信するステップであって、前記１つ以上のＭＡＣパラメータ値は、１つ以上のランダムアクセスチャネル（ＲＡＣＨ）パラメータ値を含む、ステップと、
前記１つ以上のＭＡＣパラメータ値に基づいて、前記ＭＡＣエンティティを再構成するステップと、
前記１つ以上のＭＡＣパラメータ値を適用するステップと
を備えることを特徴とする請求項１に記載の方法。
【請求項３】
前記１つ以上のＭＡＣパラメータ値は、ハイブリッド自動再送信要求（ＨＡＲＱ）プロセスパラメータをさらに含むことを特徴とする請求項２に記載の方法。
【発明の詳細な説明】
【背景技術】
【０００１】
本発明は、無線通信に関する。
【０００２】
第３世代パートナーシッププロジェクト（３ＧＰＰ）のＬＴＥ（Ｌｏｎｇ  Ｔｅｒｍ  Ｅｖｏｌｕｔｉｏｎ）プログラムの目的には、新しいＬＴＥの設定および構成のための新しい技術、新しいアーキテクチャ、および新しい方式を開発することが含まれている。これによって、改善されたスペクトル効率、短縮された待ち時間、および無線リソースの利用改善を実現することで、より低いコストで、より機敏なユーザの使用感、ならびに高機能なアプリケーションおよびサービスをもたらすことができる。
【０００３】
図１は、従来技術によるＥ−ＵＴＲＡＮ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  （ＵＭＴＳ）  Ｔｅｒｒｅｓｔｒｉａｌ  Ｒａｄｉｏ  Ａｃｃｅｓｓ  Ｎｅｔｗｏｒｋ）１００の概観を示している。図１に示すように、Ｅ−ＵＴＲＡＮ１００には、３つのｅＮｏｄｅＢ（ｅＮＢ）１０２が含まれているが、Ｅ−ＵＴＲＡＮ１００には任意の数のｅＮＢを含めることができる。ｅＮＢ１０２はＸ２インターフェイス１０８によって相互に連結されている。また、ｅＮＢ１０２は、Ｓ１インターフェイス１０６によってモビリティ管理エンティティ（ＭＭＥ）１１２およびサービスを提供するゲートウェイ（ＳＧＷ）１１０を含むＥＰＣ（Ｅｖｏｌｖｅｄ  Ｐａｃｋｅｔ  Ｃｏｒｅ）１０４に接続されている。
【０００４】
図２は、従来技術によるＬＴＥユーザプレーンのプロトコルスタック２００を示している。プロトコルスタック２００は無線送受信ユニット（ＷＴＲＵ）２１０に位置し、パケットデータ制御プロトコル（ＰＤＣＰ）２０２、無線リンク制御（ＲＬＣ）２０４、媒体アクセス制御（ＭＡＣ）２０６、および物理レイヤ（ＰＨＹ）２０８を含む。また、プロトコルスタック２００は、ｅＮＢ（図示せず）に存在することもできる。
【０００５】
図３は、図２のＷＴＲＵ２１０のＬＴＥコントロールプレーンプロトコルスタック３００を示している。コントロールプレーンプロトコルスタック３００は、非アクセス層（ＮＡＳ）３０２および無線リソース制御（ＲＲＣ）３０４を含む。また、ＰＤＣＰ３０６、ＲＬＣ３０８、およびＭＡＣ３１０を含み、これらはともにレイヤ２サブレイヤ３１２を形成する。
【０００６】
必要に応じて、ＭＡＣエンティティをリセットまたは再構成することができる。ランダムアクセスチャネル（ＲＡＣＨ）パラメータなど、ＭＡＣエンティティのパラメータの１つまたは複数が変更されると再構成が発生する。ＭＡＣリセット手順は、ハンドオーバ、セルの再選択、無線リソース制御（ＲＲＣ）接続の再確立、およびＷＴＲＵがＲＲＣ接続状態からＲＲＣアイドル状態に移るときに実行することができる。
【０００７】
ＭＡＣエンティティのパラメータは、上位レイヤによって再構成することができる。ＲＡＣＨパラメータが上位レイヤによって再構成されると、次回ランダムアクセス手順が開始されたときに、ＷＴＲＵは新しいＲＡＣＨパラメータの使用を開始することができる。これは、たとえば、ランダムアクセスプリアンブルおよびそれらの対応するＲＡ−ＲＮＴＩ（ｒａｄｉｏ  ａｃｃｅｓｓ−ｒａｄｉｏ  ｎｅｔｗｏｒｋ  ｔｅｍｐｏｒａｒｙ  ｉｄｅｎｔｉｆｉｅｒ）の伝送のための物理ランダムアクセスチャネル（ＰＲＡＣＨ）リソースの利用可能な組（ｓｅｔ）が変更されたかどうかを含むことができる。これはまた、ランダムアクセスプリアンブルのグループおよび各グループ内の利用可能な１組のランダムアクセスプリアンブルを変更することを含むことができる。たとえば、ランダムアクセスプリアンブルのグループを選択するのに必要なしきい値、送信時間間隔（ＴＴＩ）ウィンドウを得るのに必要なパラメータ、パワーランプ係数（power-ramping factor）、最大プリアンブル送信パワー、初期プリアンブル送信パワー、メッセージハイブリッド自動再送信要求（ＨＡＲＱ）送信の最大数、プリアンブル送信カウンタ、およびバックオフパラメータなど、他のパラメータを変更することができる。他の変更されたパラメータについては、ＷＴＲＵは、パラメータの再構成された値を直ちに使用し始めることができる。
【発明の概要】
【発明が解決しようとする課題】
【０００８】
図４は、従来技術に従ってＭＡＣエンティティ４００をリセットする方法を示している。ステップ４０２で、ＷＴＲＵはすべてのハイブリッド型自動再送要求（ＨＡＲＱ）バッファをフラッシュする。ステップ４０４で、ＷＴＲＵはＣＵＲＲＥＮＴ＿ＴＸ＿ＮＢカウンタを初期化する。このカウンタは、現在バッファ内にあるＭＡＣプロトコルデータユニット（ＰＤＵ）に対して行われた伝送の数をカウントする。ＷＴＲＵは、すべてのＨＡＲＱプロセスに対してカウンタをゼロに設定する。ステップ４０６で、分解および逆多重化エンティティがフラッシュされる。ステップ４０８において、ＷＴＲＵは、ランダムアクセス手順が進行中かどうかを検出する。進行中の場合は、ステップ４１０において、ＷＴＲＵは進行中のランダムアクセス手順を中断する。ステップ４１２において、ＷＴＲＵはメッセージバッファをフラッシュし、ステップ４１４において、プリアンブル送信カウンタをゼロに初期化する。ステップ４１６で、ＷＴＲＵは、競合解決のためのタイマー（ｃｏｎｔｅｎｔｉｏｎ  ｒｅｓｏｌｕｔｉｏｎ  ｔｉｍｅｒ）の期限が切れたと判断して、セル無線ネットワーク仮識別子（Ｃ−ＲＮＴＩ）を破棄することができる。Ｃ−ＲＮＴＩ  ＭＡＣ制御要素を含むアップリンクメッセージまたは高次レイヤから渡されたＷＴＲＵ競合解決ＩＤに関連付けられたアップリンクメッセージが伝送された後で、競合解決のためのタイマーは、ＰＤＣＣＨ上でＷＴＲＵが監視する連続する物理ダウンリンク制御チャネル（ＰＤＣＣＨ）サブフレームの数を指定する。ステップ４１８で、たとえば、時間同期タイマー（ｔｉｍｅ  ａｌｉｇｎｍｅｎｔ  ｔｉｍｅｒ）、オンデュレーションタイマー（ｏｎ−ｄｕｒａｔｉｏｎ  ｔｉｍｅｒ）、ＤＲＸ無効タイマー、ＤＲＸ再伝送タイマー、ＤＲＸショートサイクルタイマー、定期的なバッファ状態報告（ＢＳＲ）タイマー、およびパワーヘッドルーム（ＰＨＲ）タイマーなど、ＷＴＲＵは多くのタイマーを調整することができる。
【課題を解決するための手段】
【０００９】
無線送受信ユニット（ＷＴＲＵ）において媒体アクセス制御（ＭＡＣ）エンティティをリセットおよび再構成するための方法および装置を開示する。これはＭＡＣリセットまたは再構成要求を送信するＷＴＲＵの送信機を含むことができる。ＷＴＲＵの受信機は、ＭＡＣリセットまたは新しいＭＡＣパラメータ値を含む再構成コマンドを受信することができる。ＷＴＲＵは、ＭＡＣ再構成コマンドから得られた新しいＭＡＣパラメータ値に基づいてＭＡＣエンティティを再構成するか、またはすべてのＭＡＣパラメータをリセットすることができる。
【発明の効果】
【００１０】
本発明により、無線送受信ユニット（ＷＴＲＵ）において媒体アクセス制御（ＭＡＣ）エンティティをリセットおよび再構成するための新規な方法および装置が提供される。
【図面の簡単な説明】
【００１１】
【図１】従来技術によるＥ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）の概観を示す図である。
【図２】従来技術によるＬＴＥユーザプレーンのプロトコルスタックを示す図である。
【図３】図２のＷＴＲＵのＬＴＥコントロールプレーンのプロトコルスタックを示す図である。
【図４】従来技術によるＭＡＣエンティティをリセットする方法を示す図である。
【図５】複数のＷＴＲＵおよびｅＮｏｄｅ  Ｂ（ｅＮＢ）を含む無線通信システムを示す図である。
【図６】図５の無線通信システムのＷＴＲＵおよびｅＮＢの機能ブロック図である。
【図７】一実施形態によるＭＡＣ再構成の方法を示す信号図である。
【図８】一実施形態によるＭＡＣ再構成の方法を示す図である。
【図９】一実施形態によるＲＡＣＨまたはＤＲＸのパラメータを再構成する方法を示す図である。
【図１０】一実施形態によるＳＰＳパラメータを再構成する方法を示す図である。
【図１１】一実施形態によるＭＡＣリセットの方法を示す図である。
【図１２】他の実施形態によるＭＡＣリセットの方法を示す図である。
【図１３】一実施形態によるＲＡＣＨパラメータをリセットする方法を示す図である。
【図１４】一実施形態によるＤＲＸパラメータをリセットする方法を示す図である。
【図１５】一実施形態によるＳＰＳパラメータをリセットする方法を示す図である。
【図１６】一実施形態によるＨＡＲＱパラメータをリセットする方法を示す図である。
【発明を実施するための形態】
【００１２】
以下、「無線送受信ユニット（ＷＴＲＵ）」という用語は、ユーザ装置（ＵＥ）、移動局、固定または移動可能な加入者端末、携帯無線呼出装置、携帯電話、携帯情報端末（ＰＤＡ）、コンピュータ、あるいは無線環境において動作可能なその他のあらゆる種類のユーザ用装置を含むが、これらには限定されない。以下、「基地局」という用語は、Ｎｏｄｅ−Ｂ、サイトコントローラ、アクセスポイント（ＡＰ）、あるいは無線環境において動作可能なその他のあらゆる種類の接続装置を含むが、これらには限定されない。本明細書に開示する方法は、任意の順序に実行することができ、特定の実施形態に示した順序に限定されるものではない。
【００１３】
図５は、複数のＷＴＲＵ５１０およびｅＮｏｄｅ  Ｂ（ｅＮＢ）５２０を含む無線通信システム５００を示している。図５に示すように、ＷＴＲＵ５１０はｅＮＢ５２０と通信する。図５には、３つのＷＴＲＵ５１０および１つのｅＮＢ５２０が示されているが、無線通信システム５００には、無線機器および有線機器の任意の組み合わせを含めることができることに留意されたい。
【００１４】
図６は、図５の無線通信システム５００のＷＴＲＵ５１０およびｅＮＢ５２０の機能ブロック図６００である。図５に示すように、ＷＴＲＵ５１０はｅＮＢ５２０と通信する。ＷＴＲＵ５１０は、ＰＨＹエンティティ、ＭＡＣエンティティ、ＲＲＣエンティティ、およびＲＬＣエンティティを用いて構成される。ＷＴＲＵ５１０はそれぞれ、エンティティのそれぞれとの間でメッセージを受信および送信するようにさらに構成されている。
【００１５】
一般的なＷＴＲＵに見られるコンポーネントに加えて、ＷＴＲＵ５１０は、プロセッサ６１５、受信機６１６、送信機６１７、およびアンテナ６１８を含む。また、ＷＴＲＵ５１０はユーザインターフェイス６１８を含むことができ、ユーザインターフェイス６１８は、ＬＣＤスクリーンまたはＬＥＤスクリーン、タッチスクリーン、キーボード、スタイラス、または他の典型的なＩ／Ｏデバイスを含むことができるが、これらに限定されるものではない。また、ＷＴＲＵ５１０は、揮発性および不揮発性のメモリ６１９だけでなく、ＵＳＢポート、シリアルポートなど他のＷＴＲＵへのインターフェイス６２０を含むことができる。受信機６１６および送信機６１７は、プロセッサ６１５と通信する。無線データの送信および受信を容易にするために、アンテナ６１８は、受信機６１６および送信機６１７の両方と通信する。
【００１６】
一般的なｅＮＢに見られるコンポーネントに加えて、ｅＮＢ５２０は、プロセッサ６２５、受信機６２６、送信機６２７、およびアンテナ６２８を含む。受信機６２６および送信機６２７は、プロセッサ６２５と通信する。無線データの送信および受信を容易にするために、アンテナ６２８は、受信機６２６および送信機６２７の両方と通信する。ｅＮＢ５２０は、ＰＨＹエンティティ、ＭＡＣエンティティ、およびＲＲＣエンティティを用いて構成される。
【００１７】
ＭＡＣ再構成
ＲＲＣエンティティは、ＭＡＣエンティティを再構成することができる。プロセスを開始するために、ＭＡＣエンティティは、ＲＲＣエンティティに信号を送信し、再構成を要求、すなわちトリガーすることができる。以下に記載したイベントのいずれでも、ＲＲＣが再構成コマンドをＭＡＣに送信するようにＭＡＣに要求させることができる。
ａ．ランダムアクセスチャネル（ＲＡＣＨ）の再試行の所定のしきい値に達した。
ｂ．予約済みの専用ＲＡＣＨプリアンブルの期限が切れる。
ｃ．会話区間（talk spurt）から無音区間へのＳＰＳ移行。
ｄ．無音区間から会話区間へのＳＰＳ移行。
ｅ．不連続受信（ＤＲＸ）機能が、ＷＴＲＵとｅＮＢとの間の同期を失う。
ｆ．送信時間間隔（ＴＴＩ）バンドリング再伝送の障害。
ｇ．データの再送信の数が、許可されている再送信の最大数を超える。
ｈ．ＷＴＲＵのバッファの１つまたは複数がフル（ｆｕｌｌ）、またはフルになりそうである（１つまたは複数のしきい値を使用して決定）。これはバッファ全体、論理チャネルごとのバッファ、ＭＡＣバッファ、または上位レイヤバッファを含むが、限定されるものではない。
【００１８】
たとえば、ＭＡＣ再構成手順は再構成要求をｅＮＢに送信することによりＷＴＲＵによって開始することができる。ＷＴＲＵは、ＲＲＣまたはＭＡＣ通信要素（ＣＥ）を通してＭＡＣ再構成要求をｅＮＢに送信することができる。再構成要求は、ＭＡＣ再構成要求の理由を示す理由値、再構成されるＭＡＣエンティティの同定、再構成される機能の印（indication）、および再構成されるパラメータの印を含むことができる。
【００１９】
あるいは、再構成手順は、ｅＮＢによって開始してＷＴＲＵに信号で送ることができる。ｅＮＢは、ＲＲＣメッセージ／情報要素（ＩＥ）をＷＴＲＵに送信することができる。これを受けて、ＷＴＲＵは、ＲＲＣメッセージで示される情報に基づいてＭＡＣ再構成を実行することができる。
【００２０】
図７は、一実施形態によるＭＡＣ再構成７００の方法を示す信号図である。図７に示すように、ＷＴＲＵ７０２およびｅＮＢ７０４は、ＭＡＣエンティティを再構成するためにＭＡＣ  ＣＥ（７０６、７０８、７１０）を送信および受信することができる。ＭＡＣ再構成がＷＴＲＵ７０２のＭＡＣエンティティから要求されたときに、ＭＡＣ  ＣＥ（７０６、７０８、７１０）を使用することができる。ＭＡＣ  ＣＥ（７０６、７０８、７１０）は、ＭＡＣ再構成７０６を要求するＭＡＣ  ＣＥ、ＭＡＣ再構成７０８の受信を承認するＭＡＣ  ＣＥ、およびＭＡＣ再構成プロセス７１０の完了を確認するＭＡＣ  ＣＥを含む。また、ＭＡＣ  ＣＥは再構成パラメータを含むことができる。
【００２１】
図８は、一実施形態によるＭＡＣ再構成８００の方法を示している。ステップ８０２で、ＷＴＲＵのＭＡＣエンティティは、ＲＲＣ信号またはＭＡＣがそのパラメータを再構成するべきであることを示すＭＡＣ  ＣＥを受信する。ステップ８０４で、ＭＡＣエンティティは、初期値、デフォルト値、またはＭＡＣ  ＣＥもしくはＲＲＣ信号に含まれている値へとＭＡＣ状態変数を再構成する。ステップ８０６で、ＭＡＣエンティティは、ＭＡＣ  ＣＥまたはＲＲＣ信号に含まれている値へとＭＡＣパラメータを再構成する。ステップ８０８で、ＷＴＲＵは、たとえば、ＤＲＸサイクルの再構成に関連付けられているオンデュレーションタイマーや無効タイマーなど、ＭＡＣエンティティの再構成された機能に関連付けられているタイマーを開始、停止、または再開する。ステップ８１０で、ＷＴＲＵは、たとえば、ＲＡＣＨプリアンブルの再試行の数など、ＭＡＣエンティティの再構成された機能に関連付けられているカウンタを停止および／または再開する。ステップ８１２で、ＷＴＲＵは、再構成手順の完了をｅＮＢに確認し、ステップ８１４で、ＷＴＲＵは、再構成の完了を上位レイヤに示す。
【００２２】
再構成されたＭＡＣエンティティのパラメータの新しい値は、ＭＡＣエンティティが新しい値を受信した直後には適用されないことがある。ＭＡＣ再構成は、ＲＲＣまたはＭＡＣ  ＣＥメッセージと同期させることができる。ＲＲＣまたはＭＡＣ  ＣＥメッセージは、新しいパラメータ値の有効化の時間の明示的または暗示的な指示（indication）を含むことができる。あるいは、有効化は、送信時間間隔（ＴＴＩ）またはシステムフレーム番号（ＳＦＮ）に基づかせることができる。たとえば、ＲＲＣまたはＭＡＣ  ＣＥメッセージは、ＳＦＮまたはＲＲＣもしくはＭＡＣ  ＣＥメッセージが送信または受信された最後のＴＴＩに関するＴＴＩの数と調整できる新しい値の有効化と同期（align）させることができる。
【００２３】
図９は、一実施形態によるＲＡＣＨまたはＤＲＸのパラメータ９００を再構成する方法を示している。ステップ９０２で、ＷＴＲＵは、ＲＡＣＨパラメータまたはＤＲＸパラメータの再構成メッセージを受信する。ステップ９０４で、ＷＴＲＵは、再構成メッセージから再構成されたＲＡＣＨパラメータまたはＤＲＸパラメータを読み込み、再構成されたパラメータが変更された値かどうかを判断する。ステップ９０６で、ＷＴＲＵは、要求されたパラメータが新しい値に構成されているかどうかを判断する。要求されたパラメータが新しい値に構成されていない場合は、ステップ９０８で、ＷＴＲＵは、要求されたパラメータを初期値またはデフォルト値にリセットする。そうでない場合は、ステップ９１０で、ＷＴＲＵは、古いパラメータ値を新しいパラメータ値に置き換える。
【００２４】
新しいパラメータ値がＲＡＣＨに対するものである場合、次回ＲＡＣＨ手順が開始されたときに値が適用される。また、ＷＴＲＵとｅＮｏｄｅ−Ｂとが同期されたときに、ＷＴＲＵは、専用のＲＡＣＨ手順の新しいパラメータを適用するように構成することができる。
【００２５】
新しいＤＲＸタイマー値に対して、ＷＴＲＵは、次のＴＴＩで新しいパラメータを適用したり、または古いタイマーの期限が切れるまで待機して、タイマーが開始されるときに新しいタイマー値を適用したりすることができる。
【００２６】
図１０は、一実施形態によるＳＰＳパラメータ１０００を再構成する方法を示している。ステップ１００２で、ＷＴＲＵは、ＳＰＳに対する再構成メッセージを受信する。ステップ１００４で、ＷＴＲＵは、再構成が会話区間（talk-spurt）状態から無音状態への移行か、または無音状態から会話区間状態への移行かを検出する。移行が会話区間から無音状態へのものである場合、ステップ１００６で、ＷＴＲＵは、会話区間状態に対して構成された無線リソースを解放し、ステップ１００８で、ＷＴＲＵは、無音区間に対して使用される無線リソースまたはパラメータを構成する。
【００２７】
ステップ１００４で、再構成が会話区間状態から無音状態へのものであることをＷＴＲＵが検出すると、ステップ１０１０でＷＴＲＵは無線リソースを設定する。ステップ１０１２で、ＷＴＲＵは、会話区間状態に対するパラメータを構成する。
【００２８】
古い構成の解放および新しいパラメータ値の構成は、すぐ次のＴＴＩにおいて実行することができる。あるいは、再構成されたパラメータに対する値の有効化のタイミングは、再構成メッセージで伝達される有効化時間に基づかせることができる。
【００２９】
再構成が既存の会話区間のパラメータに対するのもであるとＷＴＲＵが検出した場合、または再構成が現在の会話区間の延長に対するものである場合、ＷＴＲＵは、現在の構成が終了した後に永続的伝送（persistent transmission period）を継続することができる。あるいは、パラメータが現在の会話区間の延長に対して再構成される場合、新しいパラメータは、延長された永続的伝送期間に使用するべきである。
【００３０】
ＷＴＲＵがＨＡＲＱプロセスに対する再構成メッセージを受信すると、ＷＴＲＵは、構成されたＨＡＲＱプロセスのＨＡＲＱバッファをフラッシュすることができる。次に、構成されたＨＡＲＱプロセスに対してＣＵＲＲＥＮＴ＿ＴＸ＿ＮＢをゼロに初期化することができる。そして最後に、ＷＴＲＵは、次のＴＴＩに、または再構成メッセージに示された有効化時間に基づいて、再構成された値を適用することができる。
【００３１】
ＭＡＣリセット
ＭＡＣリセットについては、ＭＡＣエンティティは、ＭＡＣリセットが必要であることをＲＲＣエンティティに示すことができる。ＭＡＣリセットの理由は、ＭＡＣ再構成の理由と異なっていても良い。ＭＡＣリセットは、たとえば、ハンドオーバ、セルの再選択、または接続されているモードからアイドルモードへのＲＲＣ状態の遷移などによってトリガーすることができる。ＭＡＣリセットの他のトリガーは、次を含むことができる。
ａ）ＲＡＣＨ再試行の所定数に達する。
ｂ）予約済み専用ＲＡＣＨプリアンブルの期限切れ。
ｃ）ＤＲＸ機能がＷＴＲＵとｅＮＢとの間の同期を失う。
ｄ）データの再送信数が許可されている再送信の最大数を超える。
ｅ）無線リンク障害。
ｆ）ＭＡＣリセットを示すハンドオーバコマンドが伝送される。
ｇ）隣接するセルがソースセルより優れた信号品質を提供していることを測定が示し、ＷＴＲＵがハンドオーバ要求を送信することを決定する。
ｈ）隣接セルがソースセルより優れた信号品質を提供していることを測定が示し、ＷＴＲＵがセルの再選択を実行することを決定する。
ｉ）制御要素（ＣＥ）の再送信の数が、許可されている再送信の最大数を超える。および／または
ｊ）トークンバケット（ＰＢＲまたは集約ＭＢＲ（Ａｇｇｒｅｇａｔｅ−ＭＢＲ）に使用）が問題を示している。たとえば、１つまたは複数のトークンバケットが、指定した時間／しきい値を超えてゼロ（０）以下の状態を維持する、および／またはＷＴＲＵのバッファの１つまたは複数がフル（ｆｕｌｌ）である、もしくはフルになりそうであるなどである。
【００３２】
また、他のイベントがＭＡＣリセットをトリガーすることもある。
【００３３】
図１１は、一実施形態によるＭＡＣリセット１１００の方法を示している。ステップ１１０２で、ＭＡＣエンティティはＭＡＣリセット要求をＲＲＣに送信する。ステップ１１０４で、タイマー（Ｔｍａｃ＿ｒｅｓｅｔ）が開始される。タイマーは、ＭＡＣエンティティごとに特有なものでも良い。ステップ１１０６で、ＷＴＲＵは、タイマーの期限が切れるのを待機することも、またはＲＲＣエンティティからの指示を待機することもできる。ＲＲＣエンティティからの指示（indication）は、リセット要求の肯定応答および／またはＲＲＣによって開始されるリセット手順の確認でも良い。ステップ１１０８で、ＷＴＲＵは、リセットされるエンティティからの任意のＭＡＣ  ＰＤＵの送信を保留する。ステップ１１１０で、ＷＴＲＵは、リセットの前に送信された任意のＭＡＣ  ＳＤＵのバッファをフラッシュする。ステップ１１１２で、ＷＴＲＵは、ＭＡＣ  ＳＤＵの多重化および組み立てを保留する。ステップ１１１４で、ＷＴＲＵは、リセットされるＭＡＣエンティティによる任意のＭＡＣ  ＰＤＵの受信を保留する。これは、任意の受信したＭＡＣ  ＰＤＵを破棄することによって発生することができる。ステップ１１１６で、カウンタ（Ｃｍａｃ＿ｒｅｓｅｔ）が増分または減分される。カウンタは、リセット要求の数をカウントする。このカウンタは、ＭＡＣエンティティごとに特有のものでも良い。ステップ１１１８で、ＷＴＲＵは、ＭＡＣエンティティのパラメータを、それらが最初に構成された値にリセットする。
【００３４】
図１２は、他の実施形態によるＭＡＣリセットの方法を示している。図１２において、ステップ１２０２で、受信するＭＡＣエンティティは、受信するＲＲＣエンティティからコマンドを受信してＭＡＣエンティティをリセットする。ステップ１２０４で、ＷＴＲＵは、少なくとも１つのＭＡＣ状態の変数を初期値／デフォルト値またはリセット要求で構成された値へとリセットする。ステップ１２０６で、ＷＴＲＵは、構成可能なパラメータをそれらの構成された値またはリセット要求で受信した新しい値へとリセットする。ステップ１２０８で、ＭＡＣエンティティに関連付けられているタイマーは、必要に応じて停止および／または再開される。ステップ１２１０で、ＷＴＲＵは分解および逆多重化を停止する。ステップ１２１２で、ＷＴＲＵは、ＭＡＣエンティティの送信側のＨＡＲＱ転送バッファからＨＡＲＱ  ＰＤＵを破棄し、破棄した対応するＭＡＣ  ＳＤＵの上位レイヤに通知する。ステップ１２１４で、ＷＴＲＵは、ＭＡＣエンティティの送信側のＳＤＵ転送バッファからＭＡＣ  ＳＤＵを破棄し、破棄したＳＤＵの上位レイヤに通知する。
【００３５】
ＭＡＣリセットの完了に続けて、通知を受信した後、ＲＬＣエンティティなどの上位レイヤは、たとえば、送信のためにＳＤＵをその下のＭＡＣエンティティに再び渡す。ＭＡＣエンティティの送信側では、ＭＡＣ  ＳＤＵは、ＭＡＣエンティティのＳＤＵ転送バッファから破棄されない。上位レイヤは、たとえば、ＨＡＲＱ  ＡＣＫなどを通じて、ピアのＭＡＣエンティティによって受信が承認(acknowledge)されていないすべてのＳＤＵについて通知される。通知を受信した後、上位レイヤは、それらのＳＤＵを送信のためにＭＡＣエンティティに再び渡す。ＭＡＣエンティティは、リセット手順の完了をＲＲＣに確認し、リセットの完了を上位レイヤに示すことができる。これらの動作は、ＭＡＣがＲＲＣに指示を提供した直後に実行することもできる。
【００３６】
ｅＮＢは、ＭＡＣリセットメッセージにＣ−ＲＮＴＩを含めることができる。無線リンクの障害の後に、ＷＴＲＵは、ＭＡＣリセットメッセージを受信し、Ｃ−ＲＮＴＩがオリジナルのソースセルと同じであることを検出することができる。次に、ＷＴＲＵは、無線リンク障害の前と同じセルと通信していて、以前に構成したパラメータを上書きする必要がないと判断することができる。しかし、ＷＴＲＵが異なるＣ−ＲＮＴＩを検出した場合、ＷＴＲＵは、異なるセルと通信していて、オリジナルのパラメータを新しく構成したパラメータでリセットするべきであると判断することができる。
【００３７】
ＭＡＣリセットのタイミングは、ＲＲＣメッセージと同期させることができる。ＲＲＣメッセージは、リセットのタイミングまたはリセットの有効化の明示的または暗示的な指示（indication）を含むことができる。あるいは、リセットのタイミングは、ＴＴＩまたはＳＦＮに基づいて達成することができる。たとえば、ＲＲＣメッセージとＭＡＣリセットとの間の同期は、ＳＦＮまたはＲＲＣメッセージが送信または受信された最後のＴＴＩに関するＴＴＩの数と調整する（align）ことができる。
【００３８】
ｅＮＢがＷＴＲＵのＭＡＣエンティティをリセットする場合、ＳＰＳ、ＤＲＸ、またはＲＡＣＨなど、ＭＡＣリセット手順には、特定のＭＡＣ機能のリセットを含めることができる。図１３は、一実施形態による専用のＲＡＣＨリセット１３００の方法を示している。ステップ１３０２で、ＷＴＲＵは進行中の専用ＲＡＣＨプロセスを中断する。ステップ１３０４で、ＷＴＲＵは、予約済み専用ＲＡＣＨプリアンブルのタイマーの期限が切れるように強制する。ステップ１３０６で、専用のプリアンブル送信カウンタはゼロに初期化される。ステップ１３０８で、予約済み専用ＲＡＣＨプリアンブルはフラッシュされ、新しいプリアンブルと置き換えられる。ステップ１３１０で、タイミング同期タイマー（ｔｉｍｉｎｇ  ａｌｉｇｎｍｅｎｔ  ｔｉｍｅｒ）は期限が切れたかのように処理される。ステップ１３１２で、ＷＴＲＵとｅＮＢとが同期されたときに、専用のＲＡＣＨ手順の新しいパラメータが適用される。
【００３９】
図１４は、一実施形態によるＤＲＸリセット１４００の方法を示している。ステップ１４０２で、ＷＴＲＵはＭＡＣリセット指示(indication)を高次レイヤに送信する。ステップ１４０４で、ＷＴＲＵはＳＲ／ＢＳＲをｅＮＢに送信することをやめる。ステップ１４０６で、ＷＴＲＵは、オンデュレーションタイマーの期限が切れたかどうかを判断する。期限が切れた場合は、ステップ１４０８で、ＷＴＲＵはＭＡＣリセットメッセージを検出する。ステップ１４１０で、ＷＴＲＵは、オンデュレーションタイマー値が新しい値にリセットされたかどうかを判断する。リセットされた場合は、ステップ１４１２で、新しい値が適用される。リセットされなかった場合は、ステップ１４１４で、古い値は変更されない。ステップ１４１６で、すべての新しい値は、次のオンデュレーションの最初に適用される。
【００４０】
ステップ１４０６で、ＷＴＲＵがＭＡＣリセットメッセージを受信する前に、オンデュレーションタイマーの期限が切れていない場合は、ステップ１４１８で、ＷＴＲＵはＭＡＣリセットメッセージを検出する。ステップ１４２０で、ＷＴＲＵは、オンデュレーションタイマー値が新しい値にリセットされたかどうかを判断する。リセットされた場合は、ステップ１４２２で、新しい値が適用される。リセットされなかった場合は、ステップ１４２４で、古い値は変更されない。ステップ１４２６で、経過したオンデュレーション期間を考慮することによって、現在のＴＴＩにおいて、または次のＴＴＩからすべてのパラメータの新しい値が直ちに適用される。
【００４１】
ステップ１４２８で、ＷＴＲＵは、ＰＤＣＣＨ送信を受信したとき、またはＳＲを送信する必要があるときに、新しい値またはオリジナル値のいずれかを用いてＤＲＸ無効タイマーを始動する。あるいは、ＷＴＲＵが実行中にＭＡＣリセットメッセージを受信した場合、現在のＴＴＩまたは次のＴＴＩからＤＲＸ無効タイマーを再開することができる。
【００４２】
ステップ１４３０で、ＷＴＲＵは、実行中の場合はＤＲＸ再送信タイマーを停止する。新しい値がリセットされると、その後は始動されたときに新しいタイマー値が適用される。また、ＷＴＲＵは、実行中の場合はＤＲＸショートサイクルタイマーを停止することができる。新しい値がリセットされると、その後は始動されたときに新しいタイマー値が適用される。また、ＷＴＲＵは、実行中の場合はＤＲＸロングサイクルタイマーを停止する。新しい値がリセットされると、その後は始動されたときに新しいタイマー値が適用される。最後に、ステップ１４３２で、ＷＴＲＵは、新しいタイミングおよびアクティブ時間に従って、チャネル品質インジケータ（ＣＱＩ）／ＳＲＳを伝送する。
【００４３】
図１５は、一実施形態によるＳＰＳリセット１５００の方法を示している。ステップ１５０２で、ＷＴＲＵはＭＡＣリセット指示（indication）を上位レイヤに送信し、オプションとして現在のＳＰＳ送信を停止する。ステップ１５０４で、ＷＴＲＵは、ＳＰＳに対するＭＡＣリセットメッセージを受信する。ステップ１５０６で、ＷＴＲＵは、ＳＰＳの予約済みＨＡＲＱプロセスをすべて解放する。ステップ１５０８で、ＷＴＲＵは、すべての予約済みＨＡＲＱプロセスのバッファをフラッシュする。ステップ１５１０で、ＷＴＲＵは、すべての予約済みＨＡＲＱプロセスの再送信用のカウンタを初期化する。ステップ１５１２で、ＷＴＲＵは、ＳＰＳに関連付けられているすべてのタイマーをリセットする。ステップ１５１４で、ＷＴＲＵは、すべての予約済みＨＡＲＱプロセスのパラメータをリセットする。ステップ１５１６で、たとえば、バンドリングやＲＶ値に使用されるＴＴＩの数など、ＷＴＲＵは、ＳＰＳに使用されるＴＴＩバンドリングパラメータをリセットする。ステップ１５１８で、ＷＴＲＵは、新しいＨＡＲＱ  ＩＤを用いてＳＰＳを構成する。
【００４４】
ＷＴＲＵがＭＡＣリセット指示を上位レイヤに伝送した後のアップリンク（ＵＬ）ＳＰＳについては、ＷＴＲＵはすべてのＵＬ  ＳＰＳ伝送を保留し、リセットメッセージを待機することができる。
【００４５】
図１６は、一実施形態によるＭＡＣリセットの一般的なＨＡＲＱプロセスを示している。ステップ１６０２で、ＷＴＲＵはＨＡＲＱバッファをフラッシュする。ステップ１６０４で、ＷＴＲＵは、再送信の数など、すべてのＨＡＲＱ関連のパラメータを初期化する。ステップ１６０６で、ＷＴＲＵはＲＶ値をリセットする。ステップ１６０８で、ＷＴＲＵは、ＴＴＩバンドリングパラメータをリセットする。
【００４６】
実施形態
実施形態１
無線送受信ユニット（ＷＴＲＵ）の媒体アクセス制御（ＭＡＣ）エンティティを再構成する方法であって、ＭＡＣ再構成の要求を含む第１の制御要素を送信するステップと、ＭＡＣ再構成の要求の承認を含む第２の制御要素を受信するステップと、ＭＡＣ再構成完了メッセージを含む第３の制御要素を送信するステップと、を含む方法。
【００４７】
実施形態２
無線送受信ユニット（ＷＴＲＵ）の媒体アクセス制御（ＭＡＣ）エンティティを再構成する方法であって、ＭＡＣ再構成要求を送信するステップと、新しいＭＡＣパラメータ値を含むＭＡＣ再構成コマンドを受信するステップと、ＭＡＣ再構成コマンドの新しいＭＡＣパラメータ値に基づいてＭＡＣエンティティを再構成するステップと、を含む方法。
【００４８】
実施形態３
ＭＡＣパラメータ値は、ランダムアクセスチャネル（ＲＡＣＨ）パラメータ値を含み、パラメータ値はＲＡＣＨ手順の開始に応じて適用される実施形態２に記載の方法。
【００４９】
実施形態４
ＭＡＣパラメータ値は、ハイブリッド型の自動再送信要求（ＨＡＲＱ）プロセスパラメータを含む実施形態２または３に記載の方法。
【００５０】
実施形態５
ＭＡＣパラメータ値は、ＳＰＳパラメータ値を含む実施形態２〜４のいずれか１項に記載の方法。
【００５１】
実施形態６
ＭＡＣパラメータ値は、不連続受信（ＤＲＸ）パラメータ値を含む実施形態２〜５のいずれか１項に記載の方法。
【００５２】
実施形態７
ＷＴＲＵが、再構成コマンドを読み込み、変更されたパラメータ値を判断するステップをさらに含む実施形態２〜６のいずれか１項に記載の方法。
【００５３】
実施形態８
タイマーを調整するステップと、カウンタを調整するステップと、再構成完了メッセージを伝送するステップと、をさらに含む実施形態２〜７のいずれか１項に記載の方法。
【００５４】
実施形態９
タイマーの再初期化に基づいて新しいタイマー値を適用するステップと、カウンタの再初期化に基づいて新しいカウンタパラメータ値を適用するステップと、をさらに含む実施形態２〜８のいずれか１項に記載の方法。
【００５５】
実施形態１０
新しいパラメータ値を適用する時間を含むメッセージを受信するステップと、メッセージに基づいて新しいパラメータ値を適用するステップと、をさらに含む実施形態２〜９のいずれか１項に記載の方法。
【００５６】
実施形態１１
システムフレーム番号（ＳＦＮ）に基づいて新しいパラメータ値を適用するステップをさらに含む実施形態２〜１０のいずれか１項に記載の方法。
【００５７】
実施形態１２
時間送信間隔（ＴＴＩ）に基づいてパラメータ値を適用するステップをさらに含む実施形態２〜１１のいずれか１項に記載の方法。
【００５８】
実施形態１３
ＭＡＣリセット要求を送信するステップと、ＭＡＣリセットコマンドを受信するステップと、ＭＡＣエンティティをリセットするステップと、を含む無線送受信ユニット（ＷＴＲＵ）の媒体アクセス制御（ＭＡＣ）エンティティをリセットする方法。
【００５９】
実施形態１４
ＷＴＲＵが、高次レイヤのエンティティからＭＡＣリセット指示を受信するステップをさらに含む実施形態１３に記載の方法。
【００６０】
実施形態１５
ＷＴＲＵが、ランダムアクセスチャネル（ＲＡＣＨ）パラメータのＭＡＣリセットコマンドを受信するステップをさらに含む実施形態１３または１４に記載の方法。
【００６１】
実施形態１６
ＷＴＲＵが、不連続受信（ＤＲＸ）パラメータのＭＡＣリセットコマンドを受信するステップをさらに含む実施形態１３〜１５のいずれか１項に記載の方法。
【００６２】
実施形態１７
ＷＴＲＵが、ハイブリッド型の自動再送信要求（ＨＡＲＱ）パラメータのＭＡＣリセットコマンドを受信するステップをさらに含む実施形態１３〜１６のいずれか１項に記載の方法。
【００６３】
実施形態１８
ＷＴＲＵが、ＳＰＳパラメータのＭＡＣリセットコマンドを受信するステップをさらに含む実施形態１３〜１７のいずれか１項に記載の方法。
【００６４】
実施形態１９
媒体アクセス制御（ＭＡＣ）エンティティを再構成するように構成された無線送受信ユニット（ＷＴＲＵ）であって、ＭＡＣ再構成の要求を含む第１の制御要素およびＭＡＣ再構成完了メッセージを含む第３の制御要素を送信するように構成された送信機と、ＭＡＣ再構成の要求の承認を含む第２の制御要素を受信するように構成された受信機と、ＭＡＣエンティティを再構成するように構成されたプロセッサとを備えたＷＴＲＵ。
【００６５】
実施形態２０
媒体アクセス制御（ＭＡＣ）エンティティを再構成するように構成された無線送受信ユニット（ＷＴＲＵ）であって、ＭＡＣ再構成要求を送信するように構成された送信機と、新しいＭＡＣパラメータ値を含むＭＡＣ再構成コマンドを受信するように構成された受信機と、ＭＡＣ再構成コマンドの新しいＭＡＣパラメータ値に基づいてＭＡＣエンティティを再構成するように構成されたプロセッサとを備えたＷＴＲＵ。
【００６６】
実施形態２１
ＭＡＣパラメータ値は、ランダムアクセスチャネル（ＲＡＣＨ）パラメータ値を含み、パラメータ値は、ＲＡＣＨ手順の開始に応じて適用される実施形態２０に記載のＷＴＲＵ。
【００６７】
実施形態２２
ＭＡＣパラメータ値は、ハイブリッド型の自動再送信要求（ＨＡＲＱ）プロセスパラメータを含む実施形態２０または２１に記載のＷＴＲＵ。
【００６８】
実施形態２３
ＭＡＣパラメータ値は、ＳＰＳパラメータ値を含む実施形態２０〜２２のいずれか１項に記載のＷＴＲＵ。
【００６９】
実施形態２４
ＭＡＣパラメータ値は、不連続受信（ＤＲＸ）パラメータ値を含む実施形態２０〜２３のいずれか１項に記載のＷＴＲＵ。
【００７０】
実施形態２５
プロセッサは、再構成コマンドを読み込むようにさらに構成され、変更されたパラメータ値を判断する実施形態２０〜２４のいずれか１項に記載のＷＴＲＵ。
【００７１】
実施形態２６
プロセッサは、タイマーを調整し、カウンタを調整するようにさらに構成され、送信機は再構成完了メッセージを伝送するようにさらに構成されている実施形態２０〜２５のいずれか１項に記載のＷＴＲＵ。
【００７２】
実施形態２７
プロセッサは、タイマーの再初期化に基づいて新しいタイマー値を適用し、カウンタの再初期化に基づいて新しいカウンタパラメータ値を適用するようにさらに構成されている実施形態２０〜２６のいずれか１項に記載のＷＴＲＵ。
【００７３】
実施形態２８
受信機は、新しいパラメータ値を適用する時間を含むメッセージを受信するようにさらに構成され、プロセッサは、メッセージに基づいて新しいパラメータ値を適用するようにさらに構成されている実施形態２０〜２７のいずれか１項に記載のＷＴＲＵ。
【００７４】
実施形態２９
プロセッサは、システムフレーム番号（ＳＦＮ）に基づいて新しいパラメータ値を適用するようにさらに構成されている実施形態２０〜２８のいずれか１項に記載のＷＴＲＵ。
【００７５】
実施形態３０
プロセッサは、時間送信間隔（ＴＴＩ）に基づいてパラメータ値を適用するようにさらに構成されている実施形態２０〜２９のいずれか１項に記載のＷＴＲＵ。
【００７６】
実施形態３１
媒体アクセス制御（ＭＡＣ）エンティティをリセットするように構成された無線送受信ユニット（ＷＴＲＵ）であって、ＭＡＣリセット要求を送信するように構成された送信機と、ＭＡＣリセットコマンドを受信するように構成された受信機と、ＭＡＣエンティティをリセットするように構成されたプロセッサとを備えたＷＴＲＵ。
【００７７】
実施形態３２
受信機は、高次レイヤのエンティティからＭＡＣリセット指示を受信するようにさらに構成されている実施形態３１に記載のＷＴＲＵ。
【００７８】
実施形態３３
受信機は、ＲＡＣＨパラメータのＭＡＣリセットコマンドを受信するようにさらに構成されている実施形態３１または３２に記載のＷＴＲＵ。
【００７９】
実施形態３４
受信機は、ＤＲＸパラメータのＭＡＣリセットコマンドを受信するようにさらに構成されている実施形態３１〜３３のいずれか１項に記載のＷＴＲＵ。
【００８０】
実施形態３５
受信機は、ＨＡＲＱパラメータのＭＡＣリセットコマンドを受信するようにさらに構成されている実施形態３１〜３４のいずれか１項に記載のＷＴＲＵ。
【００８１】
実施形態３６
受信機は、ＳＰＳパラメータのＭＡＣリセットコマンドを受信するようにさらに構成されている実施形態１３に記載のＷＴＲＵ。
【００８２】
実施形態３７
無線送受信ユニット（ＷＴＲＵ）の媒体アクセス制御（ＭＡＣ）エンティティを再構成するように構成されたｅＮｏｄｅＢ（ｅＮＢ）であって、ＭＡＣ再構成の要求を含む第１の制御要素およびＭＡＣ再構成完了メッセージを含む第３の制御要素を受信するように構成された受信機と、ＭＡＣ再構成の要求の承認を含む第２の制御要素を送信するように構成された送信機と、ＭＡＣエンティティ再構成パラメータを判断するように構成されたプロセッサとを備えたｅＮＢ。
【００８３】
実施形態３８
無線送受信ユニット（ＷＴＲＵ）の媒体アクセス制御（ＭＡＣ）エンティティを再構成するように構成されたｅＮｏｄｅＢ（ｅＮＢ）であって、ＭＡＣ再構成要求を受信するように構成された受信機と、新しいＭＡＣパラメータ値を含むＭＡＣ再構成コマンドを送信するように構成された送信機と、ＭＡＣ再構成コマンドの新しいＭＡＣパラメータ値を判断するように構成されたプロセッサとを備えたｅＮＢ。
【００８４】
実施形態３９
無線送受信ユニット（ＷＴＲＵ）の媒体アクセス制御（ＭＡＣ）エンティティを再構成するように構成されたｅＮｏｄｅＢ（ｅＮＢ）であって、ＭＡＣリセット要求を受信するように構成された受信機と、ＭＡＣリセットコマンドを送信するように構成された送信機と、ＭＡＣエンティティリセットの要件を判断するように構成されたプロセッサとを備えたｅＮＢ。
【００８５】
特徴および構成要素は特定の組み合わせを用いて説明されているが、各特徴または構成要素は、他の特徴および構成要素を用いずに単独で用いることが可能であり、または他の特徴および構成要素を用いてもしくは用いずにさまざまな組み合わせで用いることができる。本明細書で提供される方法またはフローチャートは、汎用コンピュータまたはプロセッサによって実行するためにコンピュータで読み出し可能な記憶媒体に組み込まれているコンピュータプログラム、ソフトウェア、またはファームウェアに実装することができる。コンピュータで読み出し可能な記憶媒体の例としては、読み出し専用メモリ（ＲＯＭ）、ランダムアクセスメモリ（ＲＡＭ）、レジスタ、キャッシュメモリ、半導体記憶装置、内蔵型ハードディスクおよび取り外し可能ディスクなどの磁気媒体、光磁気媒体、およびＣＤ−ＲＯＭディスクなどの光学式媒体、ならびにデジタル多用途ディスク（ＤＶＤ）などがある。
【００８６】
適したプロセッサの例を挙げると、汎用プロセッサ、特殊用途向けプロセッサ、従来のプロセッサ、デジタル信号プロセッサ（ＤＳＰ）、複数のマイクロプロセッサ、ＤＳＰコアと共に用いる１つまたは複数のマイクロプロセッサ、コントローラ、マイクロコントローラ、特定用途向け集積回路（ＡＳＩＣ）、書き替え可能ゲートアレイ（ＦＰＧＡ）回路、その他の種類の集積回路（ＩＣ）、および／または状態遷移マシーンなどがある。
【００８７】
プロセッサをソフトウェアと共に使用することで、無線送受信ユニット（ＷＴＲＵ）、移動端末装置（ＵＥ）、端末、基地局、無線ネットワーク制御装置（ＲＮＣ）、または任意のホストコンピュータで使用する無線送受信機（ｒａｄｉｏ  ｆｒｅｑｕｅｎｃｙ  ｔｒａｎｓｃｅｉｖｅｒ）を実装することができる。ＷＴＲＵは、カメラ、ビデオカメラモジュール、テレビ電話、スピーカーホン、振動装置、スピーカー、マイクロホン、テレビの送受信装置、ハンドフリーヘッドセット、キーボード、Ｂｌｕｅｔｏｏｔｈ（登録商標）モジュール、周波数変調（ＦＭ）無線装置、ＬＣＤ（ｌｉｑｕｉｄ  ｃｒｙｓｔａｌ  ｄｉｓｐｌａｙ）表示装置、有機発光ダイオード（ＯＬＥＤ）表示装置、デジタル音楽プレーヤー、メディアプレーヤー、ビデオゲームプレーヤーモジュール、インターネットブラウザ、および／または任意の無線ローカルエリアネットワーク（ＷＬＡＮ）またはウルトラワイドバンド（ＵＷＢ）モジュールなど、ハードウェアおよび／またはソフトウェアに実装されたモジュールと共に使用することができる。
【産業上の利用可能性】
【００８８】
本発明は、無線通信に利用することができる。
【符号の説明】
【００８９】
１０２  ｅＮＢ
１１０  Ｓ−ＧＷ
１１２  ＭＭＥ
２０２  ＰＤＣＰ
２０４、３０８  ＲＬＣ
２０６、３１０  ＭＡＣ
２０８  ＰＨＹ
３０４  ＲＲＣ
【図１】
2015165712.tif 000003
【図２】
2015165712.tif 000004
【図３】
2015165712.tif 000005
【図４】
2015165712.tif 000006
【図５】
2015165712.tif 000007
【図６】
2015165712.tif 000008
【図７】
2015165712.tif 000009
【図８】
2015165712.tif 000010
【図９】
2015165712.tif 000011
【図１０】
2015165712.tif 000012
【図１１】
2015165712.tif 000013
【図１２】
2015165712.tif 000014
【図１３】
2015165712.tif 000015
【図１４】
2015165712.tif 000016
【図１５】
2015165712.tif 000017
【図１６】
2015165712.tif 000018
【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
媒体アクセス制御（ＭＡＣ）エンティティをリセットするように構成された無線送受信ユニット（ＷＴＲＵ）であって、
前記ＷＴＲＵは、プロセッサを備え、
前記プロセッサは、少なくとも部分的に、
ＭＡＣレイヤよりも上位のレイヤのエンティティから、ＭＡＣリセット表示を受信し、  前記リセット表示を受信すると、前記ＭＡＣレイヤの全てのタイマーを停止し、
前記リセット表示を受信すると、タイミングアライメントタイマーを期限切れであると見なし、
前記リセット表示を受信すると、進行中のランダムアクセスチャネル（ＲＡＣＨ）プロセスを停止するように構成されたこと
を特徴とするＷＴＲＵ。
【請求項２】
前記プロセッサは、前記リセット表示を受信すると、専用のＲＡＣＨプリアンブルを破棄するようにさらに構成されることを特徴とする請求項１に記載のＷＴＲＵ。
【請求項３】
前記プロセッサは、スケジューリングリクエスト（ＳＲ）またはバッファ状態報告（ＢＳＲ）のうちの少なくとも１つをキャンセルするようにさらに構成されることを特徴とする請求項１に記載のＷＴＲＵ。
【請求項４】
前記プロセッサは、１または複数のハイブリッド自動再送要求（ＨＡＲＱ）バッファをフラッシュするようにさらに構成されることを特徴とする請求項１に記載のＷＴＲＵ。
【請求項５】
前記プロセッサは、１または複数のハイブリッド自動再送要求（ＨＡＲＱ）に関連する再送信の数を初期化するようにさらに構成されることを特徴とする請求項１に記載のＷＴＲＵ。
【請求項６】
無線送受信ユニット（ＷＴＲＵ）によって実行される方法であって、
前記ＷＴＲＵで、媒体アクセス制御（ＭＡＣ）レイヤよりも上位のレイヤのエンティティから、ＭＡＣリセット表示を受信するステップと、
前記ＷＴＲＵによって、前記リセット表示を受信すると、前記ＭＡＣレイヤの全てのタイマーを停止するステップと、
前記ＷＴＲＵによって、前記リセット表示を受信すると、タイミングアライメントタイマーを期限切れであると見なすステップと、
前記ＷＴＲＵによって、前記リセット表示を受信すると、進行中のランダムアクセスチャネル（ＲＡＣＨ）プロセスを停止するステップと
を含むことを特徴とする方法。
【請求項７】
前記リセット表示を受信すると、専用のＲＡＣＨプリアンブルを破棄するステップをさらに含むことを特徴とする請求項６に記載の方法。
【請求項８】
スケジューリングリクエスト（ＳＲ）またはバッファ状態報告（ＢＳＲ）のうちの少なくとも１つをキャンセルするステップをさらに含むことを特徴とする請求項６に記載の方法。
【請求項９】
１または複数のハイブリッド自動再送要求（ＨＡＲＱ）バッファをフラッシュするステップをさらに含むことを特徴とする請求項６に記載の方法。
【請求項１０】
１または複数のハイブリッド自動再送要求（ＨＡＲＱ）に関連する再送信の数を初期化するステップをさらに含むことを特徴とする請求項６に記載の方法。
【請求項１１】
無線送受信ユニット（ＷＴＲＵ）によって実行される方法であって、
前記ＷＴＲＵで、予め定められた数のランダムアクセスチャネル（ＲＡＣＨ）試行を検出するステップと、
前記ＷＴＲＵによって、前記予め定められた数のランダムアクセスチャネル（ＲＡＣＨ）試行を検出すると、媒体アクセス制御（ＭＡＣ）レイヤリセット要件を、ＭＡＣレイヤよりも上位の１または複数のレイヤへ示すステップと、
前記ＭＡＣレイヤよりも上位の前記１または複数のレイヤのうちの少なくとも１つから、ＭＡＣリセットコマンドを受信するステップと、
前記ＭＡＣリセットコマンドを受信すると、前記ＭＡＣエンティティの少なくとも１つのプロトコルデータユニット（ＰＤＵ）の送信を一時停止するステップと、
前記ＭＡＣリセットコマンドを受信すると、前記ＭＡＣエンティティの少なくとも１つのサービスデータユニット（ＳＤＵ）の多重化および組み立てを一時停止するステップと
を含むことを特徴とする方法。
【請求項１２】
前記ＭＡＣリセットコマンドは、１または複数のＭＡＣパラメータ値を含み、前記１または複数のＭＡＣパラメータ値は、１または複数のランダムアクセスチャネル（ＲＡＣＨ）パラメータ値を含み、前記方法は、
前記１または複数のＭＡＣパラメータ値に基づいて、ＭＡＣエンティティを再構成するステップと、
前記１または複数のＭＡＣパラメータ値を適用するステップと
をさらに含むことを特徴とする請求項１１に記載の方法。
【請求項１３】
前記１または複数のＭＡＣパラメータ値は、１または複数のハイブリッド自動再送要求（ＨＡＲＱ）プロセスパラメータ値、１または複数の半永続スケジューリング（ＳＰＳ）パラメータ値、または、１または複数の不連続受信（ＤＲＸ）パラメータ値のうちの少なくとも１つをさらに含むことを特徴とする請求項１２に記載の方法。
【請求項１４】
システムフレーム番号（ＳＦＮ）、または、送信時間間隔（ＴＴＩ）のうちの少なくとも１つに基づいて、前記１または複数のＭＡＣパラメータ値を適用するステップをさらに含むことを特徴とする請求項１２に記載の方法。
【請求項１５】
タイマーを調整するステップと、
カウンタを調整するステップと、
再構成完了メッセージを送信するステップと
をさらに含むことを特徴とする請求項１２に記載の方法。
【請求項１６】
無線送受信ユニット（ＷＴＲＵ）であって、
媒体アクセス制御（ＭＡＣ）レイヤよりも上位の１または複数のレイヤのうちの少なくとも１つから、ＭＡＣリセットコマンドを受信するように構成された受信機と、
予め定められた数のランダムアクセスチャネル（ＲＡＣＨ）試行を検出し、
前記予め定められた数のランダムアクセスチャネル（ＲＡＣＨ）試行を検出すると、ＭＡＣレイヤリセット要件を、前記ＭＡＣレイヤよりも上位の前記１または複数のレイヤへ示し、
前記ＭＡＣリセットコマンドを受信すると、前記ＭＡＣエンティティの少なくとも１つのプロトコルデータユニット（ＰＤＵ）の送信を一時停止し、
前記ＭＡＣリセットコマンドを受信すると、前記ＭＡＣエンティティの少なくとも１つのサービスデータユニット（ＳＤＵ）の多重化および組み立てを一時停止するように構成されたプロセッサと
を備えたことを特徴とするＷＴＲＵ。
【請求項１７】
前記ＭＡＣリセットコマンドは、１または複数のＭＡＣパラメータ値を含み、前記１または複数のＭＡＣパラメータ値は、１または複数のランダムアクセスチャネル（ＲＡＣＨ）パラメータ値を含み、前記プロセッサは、
前記１または複数のＭＡＣパラメータ値に基づいて、ＭＡＣエンティティを再構成し、
前記１または複数のＭＡＣパラメータ値を適用するようにさらに構成されること
を特徴とする請求項１６に記載のＷＴＲＵ。
【請求項１８】
前記１または複数のＭＡＣパラメータ値は、１または複数のハイブリッド自動再送要求（ＨＡＲＱ）プロセスパラメータ値、１または複数の半永続スケジューリング（ＳＰＳ）パラメータ値、または、１または複数の不連続受信（ＤＲＸ）パラメータ値のうちの少なくとも１つをさらに含むことを特徴とする請求項１７に記載のＷＴＲＵ。
【請求項１９】
前記プロセッサは、システムフレーム番号（ＳＦＮ）、または、送信時間間隔（ＴＴＩ）のうちの少なくとも１つに基づいて、前記１または複数のＭＡＣパラメータ値を適用するようにさらに構成されることを特徴とする請求項１７に記載のＷＴＲＵ。
【請求項２０】
前記プロセッサは、
タイマーを調整し、
カウンタを調整し、
再構成完了メッセージを送信するようにさらに構成されること
を特徴とする請求項１７に記載のＷＴＲＵ。